(57)【要約】【課題】睡眠中に覚醒した後、再び入眠する際に寝付きやすい環境に整えることができる空気調和機を得ること。【解決手段】空気調和機１は、調和空気の風向を制御するルーバーと、物体の表面温度の検出と人の生体情報とに基づき寝具内に人が入床しているか否かを検出する活動状態検出部である表面温度センサ９と、人が起床時以外の時間帯において表面温度センサ９が、寝具から人が出床したことを検出し、かつ、出床後の寝具において人がいた箇所の表面温度が寝具の周辺の室温よりも高いことを検出したとき、ルーバーの風向を前記寝具に設定する制御部１１とを備える。【選択図】図１
2018066547.tif 000002
【特許請求の範囲】
【請求項１】
調和空気の風向を制御するルーバーと、
物体の表面温度の検出と人の生体情報とに基づき寝具内に人が入床しているか否かを検出する活動状態検出部と、
人が起床時以外の時間帯において前記活動状態検出部が、前記寝具から人が出床したことを検出し、かつ、出床後の前記寝具において人がいた箇所の表面温度が前記寝具の周辺の室温よりも高いことを検出したとき、前記ルーバーの風向を前記寝具に設定する制御部と
を備える空気調和機。
【請求項２】
前記活動状態検出部が前記寝具から人が出床したことを検出したとき、前記制御部は、前記寝具を冷却するように送風する請求項１に記載の空気調和機。
【請求項３】
切タイマーが設定された冷房運転が停止した後、前記活動状態検出部が前記寝具から人が出床したことを検出したとき、前記制御部は、入床時の設定温度で冷房運転を行わせる請求項１に記載の空気調和機。
【請求項４】
入床時から起床時まで冷房運転が継続されている場合、前記活動状態検出部が前記寝具から人が出床したことを検出したとき、前記制御部は、入床時点から一定時間経過したときの設定温度を入床時の設定温度よりも高い値にして冷房運転を行わせる請求項１に記載の空気調和機。
【請求項５】
前記活動状態検出部が出床後に再び入床した人を検出したとき、前記制御部は、冷房運転又は暖房運転を停止させる請求項１から請求項４の何れか一項に記載の空気調和機。
【請求項６】
前記活動状態検出部が前記寝具から人が出床したことを検出したとき、前記制御部は、照明を点灯させる請求項１から請求項５の何れか一項に記載の空気調和機。
【請求項７】
前記照明は、空気調和機の室内機に設けられている請求項６の空気調和機。
【請求項８】
前記照明の点灯時の照度は、人の枕元で４０Ｌｘ以下である請求項６又は請求項７に記載の空気調和機。
【請求項９】
前記活動状態検出部が前記寝具に入床した人が睡眠状態であると判定したとき、この判定の結果を空気調和機の外部機器に送信する請求項１から請求項８の何れか一項に記載の空気調和機。
【請求項１０】
前記活動状態検出部が起床した人を検出したとき、人の一晩の睡眠状態を睡眠情報を空気調和機の外部機器に送信する請求項１から請求項９の何れか一項に記載の空気調和機。
【請求項１１】
前記活動状態検出部が起床した人を検出したとき、人の一晩の出症回数を示す情報を空気調和機の外部機器に送信する請求項１から請求項１０の何れか一項に記載の空気調和機。
【発明の詳細な説明】
【技術分野】
【０００１】
本発明は、冷房機能及び暖房機能の少なくとも一方を有する空気調和機に関する。
【背景技術】
【０００２】
人によっては夜中トイレに行くため目が覚めてしまうことがあるが、特に高齢になると夜間の頻尿によりその頻度が上がる。特に冬場は寝具内の温度と室温と間の温度差が夏場に比べて大きいため、体が冷えて更に覚醒したり、ひどい場合にはヒートショックにより亡くなることがある。
【０００３】
特許文献１に開示される室内空調システムは、生体情報検知センサで検知した信号に基づいて使用者の睡眠状態を判定し、生体情報検知センサで検知した呼吸、心拍、体重、体動といった振動又は圧力の信号に基づいて、使用者が覚醒しているか否かを判定する。そして、使用者が覚醒しており、且つ、別室の温度と設定温度との温度差が一定値より大きいとき、特許文献１に開示される室内空調システムは、就寝後に覚醒した使用者が別室の一例であるトイレに行く可能性があると判断し、別室の温度と設定温度との温度差を小さくするために別室空調機を作動させることにより、別室内の空間の温度を上昇させる。
【先行技術文献】
【特許文献】
【０００４】
【特許文献１】特開２００９−２４３７２４号公報
【発明の概要】
【発明が解決しようとする課題】
【０００５】
しかしながら特許文献１に開示される室内空調システムは、別室の環境を整えることによりヒートショックの発生を抑制しているが、使用者が寝室に戻ってきたときには体が多少冷えている上に寝床内が冷えておりため、寝付きにくくなってしまうという課題がある。
【０００６】
本発明は、上記に鑑みてなされたものであって、睡眠中に覚醒した後、再び入眠する際に寝付きやすい環境に整えることができる空気調和機を得ることを目的とする。
【課題を解決するための手段】
【０００７】
上述した課題を解決し、目的を達成するために、本発明に係る空気調和機は、調和空気の風向を制御するルーバーと、物体の表面温度の検出と人の生体情報とに基づき寝具内に人が入床しているか否かを検出する活動状態検出部と、人が起床時以外の時間帯において活動状態検出部が、寝具から人が出床したことを検出し、かつ、出床後の寝具において人がいた箇所の表面温度が寝具の周辺の室温よりも高いことを検出したとき、ルーバーの風向を寝具に設定する制御部とを備える。
【発明の効果】
【０００８】
本発明によれば、睡眠中に覚醒した後、再び入眠する際に寝付きやすい環境に整えることができるという効果を奏する。
【図面の簡単な説明】
【０００９】
【図１】本発明の実施の形態に係る空気調和機の構成を示すブロック図
【図２】本発明の実施の形態に係る空気調和機の設置例を示す模式図
【図３】図２に示す就寝者が睡眠を開始してから起床するまでの睡眠状態の変化の一例を示す図
【図４】睡眠期間中の室温の設定を説明するための図
【図５】冷房運転を行った場合の室温の変化の一例を示す図
【図６】制御部における処理動作を示すフローチャート
【図７】冷房睡眠運転時の表面温度センサで生成された熱画像データにより解析される温度分布を示す第１の図
【図８】冷房睡眠運転時の表面温度センサで生成された熱画像データにより解析される温度分布を示す第２の図
【図９】寝室温度及び寝床内温度のそれぞれの推移を示した図
【図１０】空気調和機から出力される睡眠情報により通信手段に表示される表示例を示す図
【図１１】暖房運転における寝室温度及び寝床内温度のそれぞれの推移を示した図
【発明を実施するための形態】
【００１０】
以下に、本発明の実施の形態に係る空気調和機を図面に基づいて詳細に説明する。なお、この実施の形態によりこの発明が限定されるものではない。
【００１１】
実施の形態．
図１は本発明の実施の形態に係る空気調和機の構成を示すブロック図であり、図２は本発明の実施の形態に係る空気調和機の設置例を示す模式図である。
【００１２】
図１に示すように、実施の形態に係る空気調和機１は、室内機２と、冷媒配管３を介して室内機２に接続される室外機４とを備える。空気調和機１は、冷房運転及び暖房運転を含む空調運転が可能である。図２に示すように室内機２は、寝具６が設置された室内、すなわち寝室７内に設置されている。
【００１３】
室内機２は、室内の温度及び湿度を検出する温湿度センサ８と、表面温度センサ９と、無線通信を行う通信部１０と、制御部１１と、計時部１２とを備える。なお図１では、冷凍サイクルを含む空調運転の実現に必要な構成の図示は省略されている。
【００１４】
温湿度センサ８は、温度センサ及び湿度センサを有する。温湿度センサ８は、図２に示す寝室７内の温度及び湿度を周期的に検出し、温度及び湿度のそれぞれの値を示す温湿度検出値８ａを出力するセンサである。以下では、温湿度検出値８ａを温湿度センサ８の出力データと称する場合がある。
【００１５】
表面温度センサ９は、不図示の赤外線センサを用いて構成される。赤外線センサは不図示の複数のサーモパイルを有する。表面温度センサ９は、この赤外線センサを回転駆動することで温度検出範囲を走査し、赤外線センサの出力を用いて温度検出範囲の熱画像データを生成する。すなわち表面温度センサ９は、図２に示す寝室７に存在する人の被検出体の表面温度を周期的に検出することにより、温度検出範囲の熱画像データを生成する。表面温度センサ９は、周期的に生成された熱画像データを時系列順に記憶する。そして表面温度センサ９は、時系列順に記憶された熱画像データを比較することにより、寝室７に存在する人の活動状態が判定される。活動状態を判定することにより、表面温度センサ９は、室内における人の有無を判定し、また室内に存在する人が睡眠中であるか否かを判定する。
【００１６】
このように表面温度センサ９は、表面温度検出部と活動状態検出部とを兼ねるセンサである。表面温度センサ９による判定結果は、活動状態データ９ａとして制御部１１に出力される。以下では、活動状態データ９ａを表面温度センサ９の出力データと称する場合がある。表面温度センサ９を用いることにより、制御部１１では、室内における人の有無の判定が可能であり、また制御部１１では、室内に人が存在する場合、人の位置の特定と人の表面温度の検出とが可能となる。
【００１７】
通信部１０は、無線通信用の送受信装置である。通信部１０は、不図示のリモートコントローラ、不図示のスマートホン、又は不図示のＨＥＭＳ（Home  Energy  Management  System）といった通信手段との間でデータの送受信を行う。
【００１８】
計時部１２は、リアルタイムクロックであり、計時情報を制御部１１に出力する。計時情報は、月、日、時、分及び秒を表す情報である。
【００１９】
制御部１１は、温湿度センサ８、表面温度センサ９及び通信部１０に接続され、空気調和機１の設定情報と温湿度センサ８の出力データと表面温度センサ９の出力データとに基づき、空調運転の制御を含む各種の制御を行う。空気調和機１の設定情報の具体例は後述する。
【００２０】
制御部１１は、各種の制御に必要な演算を実行する演算部１１ａと、演算部１１ａにおける演算に用いられるデータを記憶する記憶部１１ｂとを備える。制御部１１は、制御回路であり、マイクロコンピュータにより実現される。すなわち、演算部１１ａはプロセッサであり、記憶部１１ｂはメモリである。メモリは、ＲＡＭ（Random  Access  Memory）、ＲＯＭ（Read  Only  Memory）、フラッシュメモリー、ＥＰＲＯＭ（Erasable  Programmable  Read  Only  Memory）、又はＥＥＰＲＯＭ（Electrically  Erasable  Programmable  Read-Only  Memory）といった不揮発性又は揮発性の半導体メモリで構成される。メモリには、空気調和機１の設定情報、温湿度センサ８の出力データ及び表面温度センサ９の出力データが記憶される。
【００２１】
プロセッサは、ＣＰＵ（Central  Processing  Unit）、中央処理装置、処理装置、演算装置、マイクロプロセッサ、マイクロコンピュータ、プロセッサ、ＤＳＰ（Digital  Signal  Processor）、又はシステムＬＳＩ（Large  Scale  Integration）で構成される。プロセッサは、メモリに記憶されたプログラムを実行し、プログラムに記載された制御方法を実行する。
【００２２】
図２には就寝者２０が就寝するためのベッド又は布団といった寝具６と、室内機２と、冷媒配管３と、室外機４と、部屋照明１５とが示される。寝具６は、寝室７の床面７０に設置される。室内機２は、寝室７内の側壁面７１において天井面７２寄りの位置に設置される。室外機４は、寝室７外の側壁面７１において床面７０寄りの位置に設置される。部屋照明１５は、寝室７内の天井面７２に設置される室内用の照明であり、照明通信部１６を備える。
【００２３】
室内機２の側面には照明１３が設けられている。照明１３は、就寝者２０の睡眠を妨げることがないように、常夜灯及び足元灯といった照度が低く、睡眠中にも使用できる光源である。
【００２４】
次に就寝者２０の睡眠状態について説明する。図３は図２に示す就寝者が睡眠を開始してから起床するまでの睡眠状態の変化の一例を示す図である。横軸は時間を表す。具体的には、図３では、就寝者２０の睡眠状態の変化と、就寝者２０の体内の深部体温３０の変化と、就寝者２０の体動の変化とが示される。睡眠状態はステップ状の実線で示される。すなわち実線は、就寝者２０が覚醒状態にあるか非覚醒状態にあるかを表しており、実線の位置が下がるほど深い睡眠状態であることを表す。深部体温３０は点線で示され、深部体温３０としては直腸体温が代表的である。体動は棒線で示され、体動を示す棒線の高さは体動の大きさを相対的に示している。
【００２５】
一般に、睡眠は、眠りの浅いＲＥＭ（Rapid  Eye  Movement）睡眠と、眠りの深い非ＲＥＭ睡眠とに大別される。ステップ状の実線の頂点部分は、就寝者２０がＲＥＭ睡眠の状態であることを表す。ステップ状の実線の頂点以外の部分は、非ＲＥＭ睡眠の状態表す。
【００２６】
ＲＥＭ睡眠中は、臓器及び器官が活発に活動し、特に眼球が高速で運動し、拍動の増加、血圧の上昇及び発汗量の上昇が起きる。非ＲＥＭ睡眠中は、体の緊張がほぐれリラックス状態となり、拍動の低下、血圧の低下及び発汗量の減少が起きる。
【００２７】
非ＲＥＭ睡眠は、眠りの浅い状態の順に、「睡眠深度１」、「睡眠深度２」、「睡眠深度３」及び「睡眠深度４」に分類される。以下では、「睡眠深度１，２」の睡眠を「浅睡眠」、「睡眠深度３，４」の睡眠を「深睡眠」という。
【００２８】
就寝後の睡眠状態は、「睡眠深度１」、「睡眠深度２」、「睡眠深度３」、「睡眠深度４」の順に睡眠が深くなるように移行し、その後、「睡眠深度３」、「睡眠深度２」、「睡眠深度１」、ＲＥＭ睡眠の順に睡眠が浅くなるように移行する。更にその後、非ＲＥＭ睡眠及びＲＥＭ睡眠は交互に繰り返される。このような睡眠サイクルの周期、すなわちヒトの睡眠周期は通常約９０分である。
【００２９】
また、睡眠状態の変化は、概日リズムに支配される深部体温３０の変化と関係している。ヒトの深部体温３０は、睡眠を促すように睡眠開始後に低下し、その後最低温度に到達した後、上昇に転ずる。図３では、深部体温３０が、睡眠開始直前に一旦上昇した後に、睡眠状態が深くなるにつれて徐々に下降し、睡眠状態が「睡眠深度４」から「睡眠深度３」への移行時期に上昇に転じ、その後は覚醒に向かって徐々に上昇する。
【００３０】
一般に、睡眠前半は眠りが深く、室内空間の温熱環境の変化に対する感覚が鈍く、一方で体温調節機能が働く。このため、気流又は温湿度のような外的な刺激による中途覚醒が生ずる可能性が低い。これに対し、睡眠後半は眠りが浅くなり、「睡眠深度３，４」になることがあまりなくなり、外的な刺激に反応しやすくなる。
【００３１】
また、体動の頻度は睡眠状態と関係している。一般に、深睡眠中及びＲＥＭ睡眠中の体動の頻度は低く、浅睡眠中の体動の頻度は高くなる。
【００３２】
このように、睡眠状態の変化は深部体温３０の変化と関係していることから、一般に、就寝者２０に快適な睡眠環境を提供するためには、睡眠中の室内の温度を深部体温３０の変化を助長するように設定するとよい。
【００３３】
具体的には、睡眠開始時は、ユーザが快適と感ずる温度よりも室内の温度を下げ、放熱を促進し、深部温度を低下させるとよい。これにより、睡眠を促進することが可能となる。その後は、睡眠開始時よりも室内の温度を上げるとよい。これにより、寝冷えが抑制され、特に冷房運転時には温度刺激が抑制される。更に起床前には、室内の温度を維持し又は更に上げることで深部温度の上昇が助長される。
【００３４】
そこで本実施の形態に係る空気調和機１は、設定により決まる就寝時刻から設定により決まる起床時刻までの期間である睡眠期間を３つの区間に区分し、区分されたそれぞれの区間ごとに空調制御を行う。睡眠期間は、通常の冷房運転モード又は暖房運転モードとは異なる睡眠運転モードが実施される期間である。
【００３５】
図４は睡眠期間中の室温の設定を説明するための図である。図５は冷房運転を行った場合の室温の変化の一例を示す図である。図４に示すように、睡眠期間は、３つの区間である第１の区間、第２の区間及び第３の区間に区分される。第１の区間は、就寝時刻ｔ１１から継続時間ｕ１が経過した時点の時刻ｔ１２までの期間に相当する。第２の区間は、時刻ｔ１２から一定時間が経過した時点の時刻ｔ１３までの期間に相当する。第３の区間は、時刻ｔ１３から継続時間ｕ２が経過した時点の起床時刻ｔ１４までの期間に相当する。
【００３６】
夏季における冷房運転の場合、空気調和機１の設定情報の推奨例は次の通りである。
【００３７】
第１の区間の継続時間ｕ１には３時間が推奨され、第１の区間の設定温度Ｔ１には２７℃が推奨される。夏季には、寝付き後の３時間に放熱を促進させることで、就寝者２０が深い眠りにつくことができる。
【００３８】
第２の区間の設定温度Ｔ２は第１の区間の設定温度Ｔ１よりも高い。また第２の区間の設定温度Ｔ２と第１の区間の設定温度Ｔ１との温度差には、０．５℃以上、かつ、１℃以下が推奨される。設定温度Ｔ２を設定温度Ｔ１よりも高くすることで、寝冷えが抑制される。
【００３９】
第３の区間の継続時間ｕ２には３０分が推奨される。第３の区間の設定温度Ｔ３は、第２の区間の設定温度Ｔ２と同じ温度が推奨される。また、第３の区間の設定温度Ｔ３は、第２の区間の設定温度Ｔ２よりも高く、かつ、第３の区間の設定温度Ｔ３と第２の区間の設定温度Ｔ２との温度差が１℃以下であることが推奨される。これは就寝者２０が寝苦しくならないようにし、かつ、就寝者２０の目覚めをよくするためである。
【００４０】
図５には、このような冷房運転を行った場合の室温４０の変化の一例が実線で示される第１の区間では、就寝時刻ｔ１１から一定時間が経過する間に室温４０が下降し、その後、時刻ｔ１２まで室温４０は設定温度Ｔ１に維持される。第２の区間では、時刻ｔ１２から一定時間が経過する間に室温４０が上昇し、その後、時刻ｔ１３まで室温４０は設定温度Ｔ２に維持される。第３の区間では、時刻ｔ１３から一定時間が経過する間に室温４０が僅かに上昇し、その後、起床時刻ｔ１４まで室温４０は設定温度Ｔ３に維持される。
【００４１】
冬季における暖房運転の場合、空気調和機１の設定情報の推奨例は次の通りである。第１の区間の継続時間ｕ１には３０分が推奨され、第１の区間の設定温度Ｔ１には１７℃が推奨される。冬季には、睡眠の初期に室内を暖めれば十分であり、長く室内を暖めると、放熱が抑制され、就寝者２０が深い眠りを得るという観点からは逆効果である。
【００４２】
次に図６、図７及び図８を用いて空気調和機１の動作を説明する。
【００４３】
図６は制御部における処理動作を示すフローチャートである。図７は冷房睡眠運転時の表面温度センサで生成された熱画像データにより解析される温度分布を示す第１の図である。図８は冷房睡眠運転時の表面温度センサで生成された熱画像データにより解析される温度分布を示す第２の図である。図９は寝室温度及び寝床内温度のそれぞれの推移を示した図である。
【００４４】
図７に示すように、寝具６で就寝中の就寝者２０が掛け布団又は毛布をかけていれば、就寝者２０の顔の温度は３５℃前後であり、就寝者２０の周辺の温度は室温と等しい２８℃前後であるため、表面温度センサ９は、室温より高温の位置を特定することにより、寝室７内に就寝者２０が存在していることを特定できる。
【００４５】
図８には、図７に示される就寝者２０が寝具６から離れて別室に移動した後の状態が示される。すなわち寝具６を鉛直方向から平面視したときにおける寝具６の中央は、就寝者２０の体温により、寝具６の中央以外の温度よりも高温の高温部６０となる。高温部６０の温度は３３℃前後である。表面温度センサ９は、顔の温度よりも低く、かつ、室温よりも高い温度の位置を特定することにより、睡眠途中の就寝者２０は寝室７外に移動していることを特定できると共に、寝具６の高温部６０の温度を特定できる。
【００４６】
図９の横軸は時間を表し、縦軸は温度を表す。図９には、室温４１と、冷房運転時における敷き布団の中央部における表面温度４２と、非冷房運転時における敷き布団の中央部における表面温度４３とが示される。敷き布団の中央部は、図８に示す高温部６０、すなわち寝具６を鉛直方向から平面視したときにおける寝具６の中央部である。高温部６０は、図７に示す就寝者２０の頭部及び胴体部分に対応する。
【００４７】
図６において、使用者が前述した通信手段に設けられた運転ボタンを押下することにより、Ｓ１において空気調和機１では睡眠運転が開始される。ここでは夏場を想定して空気調和機１では睡眠冷房運転が開始されるものとする。
【００４８】
Ｓ１において睡眠冷房運転が開始され、制御部１１が運転開始の指令を検出すると、Ｓ２において表面温度センサ９は使用者の表面温度を検出することにより、使用者の位置を特定する。使用者の位置を特定する場合、図７に示すように掛け布団又は毛布をかけている使用者である就寝者２０の顔の温度と室温とを検出することにより、使用者の位置を特定できる。
【００４９】
次にＳ３では、表面温度センサ９により、就寝者２０が睡眠状態であるか非睡眠状態であるかの判定が行われる。具体的には、表面温度センサ９は、熱画像データを一定時間ごとに記憶し、その差分により一定時間内に就寝者２０の体動があったかを算出する。表面温度センサ９は、体動の頻度及び大きさを求めることにより、睡眠状態であるか非睡眠状態であるかを判定する。表面温度センサ９は、非睡眠状態と判定した場合（Ｓ３，Ｎｏ）、睡眠判定を繰り返し、睡眠状態と判定した（Ｓ３，Ｙｅｓ）、Ｓ４の処理を行う。
【００５０】
ここでは、表面温度センサ９で検出された表面温度によって体動の判定がなされたが、表面温度センサ９の代わりに、非接触で動体を測定できるドップラーセンサを用いて、就寝者２０の呼吸及び心拍を測定してもよいし、表面温度センサ９の代わりに、直接体に取り付けられ又は寝具６に設置された加速度センサを用いて体動を測定してもよいし、表面温度センサ９の代わりに、寝具６の下に取り付けられた圧力センサを用いて体動を測定してもよい。
【００５１】
次にＳ４で表面温度センサ９は、通信部１０を通じて、使用者が睡眠に入ったこと示す入眠情報を、任意の通信手段に対して送信する。通信手段はスマートホンのメールでもよいし、ＨＥＭＳシステムでもよい。就寝者２０が一人暮らしの高齢者であれば、その高齢者の子供に安全確認のために寝たことを伝えることができる。就寝者２０が部屋にいる一人の子供であれば、子供が夜更かしせずにきちんと就寝したかを確認できる。
【００５２】
次にＳ５で表面温度センサ９は、寝具６内の就寝者２０が覚醒して退出したか否か、すなわち就寝者２０が寝具６に存在するか不在であるか判定する。就寝者２０が夜中に覚醒し、トイレに向かった場合、掛け布団が開かれ、図８のように寝具６内が体温で暖まり、寝具６内の温度は３３℃前後となり、寝具６の中心部の温度が高くなる。このような状態においては、就寝者２０が寝具６に戻ってきたときに、夏場では冬場に比べて就寝者２０の体が熱く、室温も高いため、布団が暑すぎると再度の就寝時に寝付きに難くなる。
【００５３】
就寝者２０が寝具６に不在である場合（Ｓ５，Ｎｏ）、表面温度センサ９は、就寝者２０が寝具６に不在であることを示す信号を活動状態データ９ａとして出力する。この活動状態データ９ａを受信した制御部１１は、照明通信部１６に対して部屋照明１５を点灯、すなわち部屋照明１５をＯＮにする照明起動信号を出力する（Ｓ６）。これにより部屋照明１５が点灯し、覚醒した就寝者２０が寝室７から退出する際、部屋照明１５の光により安全を確保できる。なお、空気調和機１は、部屋照明１５の代わりに、室内機２が有する照明１３をＯＮさせるように構成してもよい。その際、照明１３の照度は、就寝者２０の枕元で４０Ｌｘ以下となるように調整される。すなわち、照明１３の照度は、覚醒を促進しないような明るさとする。
【００５４】
次にＳ７で制御部１１は寝具温度が予め設定された検出温度を超えているか否かを判定する。本実施の形態では検出温度を３０℃としているが、検出温度は、寝具６の周辺の室温よりも高い値であれば３０℃以外でもよい。寝具温度が３０℃を超える場合（Ｓ７，Ｙｅｓ）、制御部１１はＳ８の処理を行い、寝具温度が３０℃以下の場合（Ｓ７，Ｎｏ）、制御部１１はＳ１０の処理を行う。
【００５５】
Ｓ８で制御部１１は、睡眠進度が第３の区間であるか否か、すなわち人が起床する時刻又は人が起床する時刻に近い時刻であるか否かを判定する。睡眠進度が第３の区間である場合（Ｓ８，Ｙｅｓ）、制御部１１はＳ１０の処理を行い、睡眠進度が第３の区間ではない場合（Ｓ８，Ｎｏ）、制御部１１はＳ９の処理を行う。
【００５６】
Ｓ９で制御部１１は、空気調和機１に設けられた不図示のルーバーの風向を寝具６の方向に定めることにより寝具６を冷却し、就寝者２０が寝具６に戻ってきたときに寝付きやすい環境に整える。
【００５７】
寝具温度が３０℃以下の場合及び睡眠進度が第３の区間である場合には、寝具６が冷たすぎると睡眠を妨げるため、Ｓ１０で制御部１１は寝具６の冷却は行わず、睡眠情報を通信部１０を通じて任意の第三者に送信する。第３の区間では、起床に向けて体温を上げていく段階のためである。なお、寝具の温度は使用者の好みによって、更に冷たくしたり、控えめにすることができる。
【００５８】
次にＳ１１で表面温度センサ９は、就寝者２０が寝具６に存在するか不在であるか判定する。就寝者２０が寝具６に不在である場合（Ｓ１１，Ｎｏ）、Ｓ１２で制御部１１は、就寝者２０の不在時間が１５分を超えるか否かを判定する。就寝者２０の不在時間が１５分を超える場合（Ｓ１２，Ｙｅｓ）、就寝者２０の不在時間が１５分を超える場合、就寝者２０がトイレで倒れている場合、又はトイレまでの経路で怪我をして動けなくなっていることが想定できるため、Ｓ１３で制御部１１は、任意の第三者に緊急情報を送信する。これにより就寝者２０の異常を家族に知らせることができる。なお、不在時間は使用者又は家族が任意に設定できるように構成してもよい。
【００５９】
就寝者２０の不在時間が１５分以下の場合（Ｓ１２，Ｎｏ）、Ｓ６の処理が実行される。就寝者２０が寝具６に存在する場合（Ｓ１１，Ｙｅｓ）、Ｓ１４で制御部１１は、空気調和機１の冷房運転を停止させる。更にＳ１５で制御部１１は部屋照明１５をＯＦＦにする。
【００６０】
Ｓ５において就寝者２０が寝具６に存在する場合（Ｓ５，Ｙｅｓ）及びＳ１５の後、表面温度センサ９ではＳ１６の処理が行われる。Ｓ１６で表面温度センサ９は、非睡眠状態、すなわち起床と判定した場合（Ｓ１６，Ｙｅｓ）、Ｓ１８に進み、起床と判定されなかった場合（Ｓ１６，Ｎｏ）、Ｓ１７に進む。
【００６１】
次にＳ１７で不図示の通信手段で停止ＳＷが押されている場合（Ｓ１７，Ｙｅｓ）、Ｓ１８に進み、停止ＳＷが押されていない場合（Ｓ１７，Ｎｏ）、Ｓ５に戻る。
【００６２】
Ｓ１８で制御部１１は空気調和機１の冷房運転を終了させて、Ｓ１９に進み、通信部１０を通じて、使用者の睡眠状態を示す睡眠情報を、任意の通信手段に対して送信する。図１０は空気調和機１から出力される睡眠情報により通信手段に表示される表示例を示す図である。図１０に示される表示例では、横軸が時間を表し、縦軸が温度を表す。図１０に示される表示例では、エアコンの設定温度の推移と表面温度センサ９で検出された就寝者２０の体温の推移が示される。このような睡眠情報が送信されることにより、家族が就寝者２０の状態を確認でき、就寝者２０である高齢者又は子供の健康状態を把握できる。
【００６３】
本実施の形態に係る空気調和機１により、夜中にトイレに行って戻ったあとでも、覚醒が強まることなく、再度素早く眠りにつくことができる。また睡眠の段階に応じて空調制御が行われるため、起床に向けての体内リズムを狂わせることもない。また就寝者２０に異常が発生したときには、就寝者２０の家族に情報を報知できるため高齢者の事故死又は突然死を防止できる。子供にとっても、睡眠を整えることで、成長の助けになることができる。
【００６４】
本実施の形態では冷房運転の説明をしたが、暖房運転でも同様の効果を得ることができる。図１１は暖房運転における寝室温度及び寝床内温度のそれぞれの推移を示した図である。図１１の横軸は時間を表し、縦軸は温度を表す。図１１には、室温４１と、暖房運転時における敷き布団の中央部における表面温度４２と、非暖房運転時における敷き布団の中央部における表面温度４３とが示される。冬場では、寝具６の周辺温度が夏場よりも低い温度、例えば１０℃前後である。そのため図１１に示すように、布団が解放されると寝床内温度を検知するが、寝具６内が一気に冷えてしまう。そこで制御部１１は、空気調和機１に設けられた不図示のルーバーの風向を寝具６の方向に定めることにより寝具６内の温度を３３℃前後に維持させる。これにより、就寝者２０が寝具６に戻ってきたときに寝付きやすい環境に整える。
【００６５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６６】
１  空気調和機、２  室内機、３  冷媒配管、４  室外機、６  寝具、７  寝室、８  温湿度センサ、８ａ  温湿度検出値、９  表面温度センサ、９ａ  活動状態データ、１０  通信部、１１  制御部、１１ａ  演算部、１１ｂ  記憶部、１２  計時部、１３  照明、１５  部屋照明、１６  照明通信部、２０  就寝者、３０  深部体温、４０，４１  室温、４２，４３  表面温度、６０  高温部、７０  床面、７１  側壁面、７２  天井面。
【図１】
2018066547.tif 000003
【図２】
2018066547.tif 000004
【図３】
2018066547.tif 000005
【図４】
2018066547.tif 000006
【図５】
2018066547.tif 000007
【図６】
2018066547.tif 000008
【図７】
2018066547.tif 000009
【図８】
2018066547.tif 000010
【図９】
2018066547.tif 000011
【図１０】
2018066547.tif 000012
【図１１】
2018066547.tif 000013